(57)【特許請求の範囲】
【請求項１】
動画の圧縮伸長の国際標準規格であるＭＰＥＧ２に準拠する圧縮映像音声データを記録媒体から読み出す読出部または放送電波により送信された前記ＭＰＥＧ２に準拠する圧縮映像音声データを受信する受信部からなる圧縮映像音声データ入力部と、前記圧縮映像音声データ入力部に入力した前記圧縮映像音声データから圧縮映像データと圧縮音声データを分離する分離化部と、前記分離された圧縮映像データ及び圧縮音声データをそれぞれ復号して元の映像データおよび音声データに伸長する伸長部と、前記伸長された映像データをモニタ画面に表示させる映像出力部と、前記伸長された音声データをスピーカから出力させる音声出力部と、装置全体の制御を行う制御部とを備えて成るデジタル映像再生装置において、
静止画像の圧縮伸長の国際標準規格であるＪＰＥＧに準拠した圧縮静止画像データを出力する圧縮静止画像データ出力手段と前記伸長部とを接続して、前記圧縮静止画像データ出力手段からの前記圧縮静止画像データを前記伸長部に入力するインターフェイス部を備え、
前記伸長部が、前記圧縮静止画像データ出力手段から前記インターフェイス部を介して入力する前記圧縮静止画像データを復号して元の静止画像データに伸長する機能を兼ね備え、
前記制御部が、操作部の操作または前記インターフェイス部の接続の検出に基づき静止画像データ入力モードが設定されたときに、前記圧縮静止画像データ出力手段からの圧縮静止画像データを前記インターフェイス部を介し前記伸長部に入力させたのち、当該伸長部から前記静止画像データを前記映像出力部に対し出力させて前記モニタ画面に表示させる制御を行う機能を有していることを特徴とするデジタル映像再生装置。
【請求項２】
前記制御部に対し種々の制御指令を与える前記操作部に、前記静止画像データ入力モードへの切り換え操作を行うための切換キーを有し、
前記制御部が、前記切換キーの操作により前記静止画像データ入力モードが設定されたときに、前記圧縮静止画像データを前記伸長部に入力させて、当該伸長部により復号された静止画像データをフレーム単位でメモリに一時記憶させたのち、当該メモリから読み出したフレーム毎の静止画像データを映像出力部に対し出力する制御機能を有している請求項１に記載のデジタル映像再生装置。
【請求項３】
動画の圧縮伸長の国際標準規格であるＭＰＥＧ２に準拠する圧縮映像音声データを記録媒体から読み出す読出部または放送電波により送信された前記ＭＰＥＧ２に準拠する圧縮映像音声データを受信する受信部からなる圧縮映像音声データ入力部と、
前記圧縮映像音声データ入力部に入力した前記圧縮映像音声データから圧縮映像データと圧縮音声データを分離する分離化部と、
前記分離化部により分離された圧縮映像データおよび圧縮音声データをそれぞれ復号して元の映像データおよび音声データに伸長する機能と、静止画像の圧縮伸長の国際標準規格であるＪＰＥＧに準拠した圧縮静止画像データを復号して元の静止画像データに伸長する機能とを兼ね備えた伸長部と、
前記圧縮静止画像データを出力する圧縮静止画像データ出力手段と前記伸長部とを接続して、当該圧縮静止画像データ出力手段からの前記圧縮静止画像データを前記伸長部に入力するインターフェイス部と、
前記伸長部により伸長された映像データまたは静止画像データをモニタ画面に表示させる映像出力部と、
前記伸長部により伸長された音声データをスピーカから出力させる音声出力部と、
前記圧縮静止画像データ出力手段から前記インターフェイス部を介して入力された前記圧縮静止画像データをそのまま書込用記録媒体に書き込む書込部と、
装置全体の制御を行う制御部とを備え、
前記制御部が、操作部の操作または前記インターフェイス部の接続の検出に基づき静止画像データ入力モードが設定されたときに、前記圧縮静止画像データ出力手段からの圧縮静止画像データを前記インターフェイス部を介し前記伸長部に入力させたのち、当該伸長部から出力される前記静止画像データを前記映像出力部を介して前記モニタ画面に表示させるとともに、前記書込部に対し前記圧縮静止画像データを前記書込用記録媒体に書き込ませる制御機能を有していることを特徴とするデジタル映像記録再生装置。
【請求項４】
前記制御部に対し種々の制御指令を与える操作部に、前記静止画像データ入力モードに切り換え操作を行うための切換キーと、所望の静止画像データを選択する操作を行うための選択キーとを有し、
前記制御部が、前記切換キーの操作により前記静止画像データ入力モードが設定されたときに、前記圧縮静止画像データ出力手段からの前記圧縮静止画像データを前記伸長部に入力させて、当該伸長部により復号された静止画像データをフレーム単位で第１のメモリに一時記憶させたのち、前記第１のメモリから読み出したフレーム毎の静止画像データを映像出力部を介し前記モニタ画面に表示させるとともに、前記圧縮静止画像データ出力手段からの前記圧縮静止画像データをフレーム単位でそのまま第２のメモリに一時記憶させ、一方、切換キーの操作により前記静止画像データ入力モードが設定されている状態において前記選択キーが操作されたときに限り、前記第２のメモリから前記圧縮静止画像データを読み出すとともに、その圧縮静止画像データを前記書込用記録媒体に書き込ませるよう前記書込部を制御する制御機能を有している請求項１に記載のデジタル映像記録再生装置。
【発明の詳細な説明】
【０００１】
【発明の属する技術分野】
この発明は、デジタル映像を再生するデジタル映像再生装置、及びデジタル映像を記録、再生するデジタル映像記録再生装置に関する。
【０００２】
【従来の技術】
カラー動画の圧縮伸張の国際標準規格であるＭＰＥＧ２（Moving Picture Experts Group Phase２）は、デジタル蓄積メディアに限らず放送・通信分野においても使用できる符号化標準であり、その応用分野は、ＤＶＤ（Digtal Versatile Disk ）の蓄積メディアからデジタル放送、ＣＡＴＶ、ニュース・ギャザリング（収集）、テレビ会議・電話、インタラクティブ（対話形）映像蓄積など広範囲に広がっている。また、近年では衛星放送や次世代テレビジョンシステム、ＨＤＴＶへの応用にも広がりを見せている。
【０００３】
ところで、ＭＰＥＧ２規格の代表であるＤＶＤは映画などのカラー動画を家庭で手軽に楽しめる媒体として早くから注目されており、その再生装置（以下、ＤＶＤプレーヤと称する）は例えば図３に示すような構成になっている。
【０００４】
図３において、１は図示しない駆動系により回転駆動されるＤＶＤ、２は光ピックアップから成る読出部、３は読出部２により読み出された圧縮映像音声データから圧縮映像データと圧縮音声データを分離する分離化部、４は伸長部であり、分離化部３により分離された圧縮映像データ及び圧縮音声データをそれぞれ復号して元の映像音声信号に伸長するものであり、読出部２、分離化部３及びこの伸長部４は、通常デコーダＩＣにより構成される。また、５は伸長部４により伸長された映像データをテレビ等のモニタ画面Ｍに表示させる映像出力部、６は伸長部４により伸長された音声データをスピーカＳから出力させる音声出力部、７はデータの一時記憶用のメモリ、８は制御部であり、リモートコントローラ（以下、リモコンと称する）９のキー操作に応じて、ＤＶＤ１の駆動系を始め、読出部２、分離化部３、伸長部４の動作制御を行う。このように、読出部２、分離化部３、伸長部４、映像出力部５、音声出力部６、メモリ７および制御部８によりＤＶＤプレーヤが構成されている。
【０００５】
また、衛星放送などのデジタル放送を受信する装置も、上記した読出部２が受信部に代わる以外は図３に示す構成とほぼ同じである。このような構成の装置によれば、ＭＰＥＧ２規格による画像圧縮処理された圧縮映像音声データを復号して再生表示することができる。
【０００６】
その一方で、マルチメディアの急速な立上がりに伴い、静止画の分野においてもデジタル化が進み、カラー静止画像を圧縮伸長する標準方式であるＪＰＥＧ（Joint Photographic Experts Grop ）に準拠したデータの画像圧縮処理が多く採用されている。その代表として、いわゆるデジタルカメラ（若しくはデジタルスチルカメラ）がある。
【０００７】
このデジタルカメラにより撮像された静止画像を再生する場合、デジタルカメラの記録媒体に格納された圧縮カラー静止画像データをパーソナルコンピュータ（以下、パソコンと省略する）に取り込んでディスプレイ上に表示するか、デジタルカメラに設けられているＬＣＤから成るモニタ画面上に表示するか、記録媒体に格納された圧縮カラー静止画像データをプリンタに取り込んで印刷するか、或いは写真屋等に設けられている専用再生機で記録媒体に格納されたカラー静止画像データを再生するというのが一般的である。
【０００８】
【発明が解決しようとする課題】
しかし、パソコンやプリンタがない場合や、デジタルカメラにモニタ画面が設けられていない場合には、デジタルカメラにより撮像された静止画像を直ぐに再生したくても再生することができず、非常に不便である。
【０００９】
他方、最近では上記したＤＶＤプレーヤの商品化が進み、様々な機種が提案されているが、ＤＶＤプレーヤなどのデジタル映像再生装置等にＪＰＥＧ規格によるカラー静止画像を再生し或いは記録媒体に記録する機能を持たせることで、ひとつの民生用機器によるマルチメディア対応が期待できる。
【００１０】
この発明が解決しようとする課題は、多機能でマルチメディア対応が可能なデジタル映像再生装置及びデジタル映像記録再生装置を提供することにある。
【００１１】
【課題を解決するための手段】
上記した課題を解決するために、本発明におけるデジタル映像再生装置は、動画の圧縮伸長の国際標準規格であるＭＰＥＧ２に準拠する圧縮映像音声データを記録媒体から読み出す読出部または放送電波により送信された前記ＭＰＥＧ２に準拠する圧縮映像音声データを受信する受信部からなる圧縮映像音声データ入力部と、前記圧縮映像音声データ入力部に入力した前記圧縮映像音声データから圧縮映像データと圧縮音声データを分離する分離化部と、前記分離された圧縮映像データ及び圧縮音声データをそれぞれ復号して元の映像データおよび音声データに伸長する伸長部と、前記伸長された映像データをモニタ画面に表示させる映像出力部と、前記伸長された音声データをスピーカから出力させる音声出力部と、装置全体の制御を行う制御部とを備えて成るデジタル映像再生装置において、静止画像の圧縮伸長の国際標準規格であるＪＰＥＧに準拠した圧縮静止画像データを出力する圧縮静止画像データ出力手段と前記伸長部とを接続して、前記圧縮静止画像データ出力手段からの前記圧縮静止画像データを前記伸長部に入力するインターフェイス部を備え、前記伸長部が、前記圧縮静止画像データ出力手段から前記インターフェイス部を介して入力する前記圧縮静止画像データを復号して元の静止画像データに伸長する機能を兼ね備え、前記制御部が、操作部の操作または前記インターフェイス部の接続の検出に基づき静止画像データ入力モードが設定されたときに、前記圧縮静止画像データ出力手段からの圧縮静止画像データを前記インターフェイス部を介し前記伸長部に入力させたのち、当該伸長部から前記静止画像データを前記映像出力部に対し出力させて前記モニタ画面に表示させる制御を行う機能を有していることを特徴としている。
【００１２】
このような構成によれば、操作部の操作などによって静止画像データ入力モードを設定することにより、デジタルカメラなどの圧縮静止画像データ出力手段からの圧縮カラー静止画像データがインターフェイス部を介して伸長部に入力され、伸長部により圧縮カラー静止画像データが復号されて元の静止画像データに伸長されたのち、この静止画像データが映像出力部によりモニタ画面上に表示される。そのため、ＭＰＥＧ２規格の圧縮映像音声データを復号再生する単一のデジタル映像再生装置により、ＪＰＥＧ規格による圧縮カラー静止画像データをも伸長して表示することが可能となり、多機能でマルチメディア対応が可能な民生用機器としてのデジタル映像再生装置を提供することができる。
【００１３】
また、本発明におけるデジタル映像再生装置は、前記制御部に対し種々の制御指令を与える前記操作部に、前記静止画像データ入力モードへの切り換え操作を行うための切換キーを有し、前記制御部が、前記切換キーの操作により前記静止画像データ入力モードが設定されたときに、前記圧縮静止画像データを前記伸長部に入力させて、当該伸長部により復号された静止画像データをフレーム単位でメモリに一時記憶させたのち、当該メモリから読み出したフレーム毎の静止画像データを映像出力部に対し出力する制御機能を有していることを特徴としている。
【００１４】
このようにすれば、操作部の切換キーを操作することにより、制御部により伸長部への圧縮カラー静止画像データの入力が可能な状態に切り換えられるため、ユーザが必要なときに操作部の切換キーを操作するだけで、フレーム毎のカラー静止画像をモニタ画面に再生表示することが可能となる。
【００１５】
また、本発明におけるデジタル映像記録再生装置は、動画の圧縮伸長の国際標準規格であるＭＰＥＧ２に準拠する圧縮映像音声データを記録媒体から読み出す読出部または放送電波により送信された前記ＭＰＥＧ２に準拠する圧縮映像音声データを受信する受信部からなる圧縮映像音声データ入力部と、前記圧縮映像音声データ入力部に入力した前記圧縮映像音声データから圧縮映像データと圧縮音声データを分離する分離化部と、前記分離化部により分離された圧縮映像データおよび圧縮音声データをそれぞれ復号して元の映像データおよび音声データに伸長する機能と、静止画像の圧縮伸長の国際標準規格であるＪＰＥＧに準拠した圧縮静止画像データを復号して元の静止画像データに伸長する機能とを兼ね備えた伸長部と、前記圧縮静止画像データを出力する圧縮静止画像データ出力手段と前記伸長部とを接続して、当該圧縮静止画像データ出力手段からの前記圧縮静止画像データを前記伸長部に入力するインターフェイス部と、前記伸長部により伸長された映像データまたは静止画像データをモニタ画面に表示させる映像出力部と、前記伸長部により伸長された音声データをスピーカから出力させる音声出力部と、前記圧縮静止画像データ出力手段から前記インターフェイス部を介して入力された前記圧縮静止画像データをそのまま書込用記録媒体に書き込む書込部と、装置全体の制御を行う制御部とを備え、前記制御部が、操作部の操作または前記インターフェイス部の接続の検出に基づき静止画像データ入力モードが設定されたときに、前記圧縮静止画像データ出力手段からの圧縮静止画像データを前記インターフェイス部を介し前記伸長部に入力させたのち、当該伸長部から出力される前記静止画像データを前記映像出力部を介して前記モニタ画面に表示させるとともに、前記書込部に対し前記圧縮静止画像データを前記書込用記録媒体に書き込ませる制御機能を有していることを特徴としている。
【００１６】
このような構成によれば、操作部の操作などによって静止画像データ入力モードを設定することにより、デジタルカメラなどの圧縮静止画像データ出力手段からの圧縮カラー静止画像データがインターフェイス部を介して伸長部に入力され、伸長部により圧縮カラー静止画像データが復号されて元の静止画像データに伸長されたのち、この静止画像データが映像出力部によりモニタ画面上に表示されるとともに、インターフェイス部を介して入力された圧縮カラー静止画像データがそのままＤＶＤ−ＲＡＭや磁気テープ、ハードディスク、半導体メモリなどの書込用記録媒体に書込部によって書き込まれる。そのため、ＭＰＥＧ２規格の圧縮映像音声データを復号再生する単一のデジタル映像記録再生装置により、ＪＰＥＧ規格による圧縮カラー静止画像データを伸長して表示するとともに、圧縮静止画像データのまま書込用記録媒体に書き込むことが可能となり、一層多機能でマルチメディア対応が可能な民生用機器としてのデジタル映像記録再生装置を提供することができる。
【００１７】
更に、本発明におけるデジタル映像記録再生装置は、前記制御部に対し種々の制御指令を与える操作部に、前記静止画像データ入力モードに切り換え操作を行うための切換キーと、所望の静止画像データを選択する操作を行うための選択キーとを有し、前記制御部が、前記切換キーの操作により前記静止画像データ入力モードが設定されたときに、前記圧縮静止画像データ出力手段からの前記圧縮静止画像データを前記伸長部に入力させて、当該伸長部により復号された静止画像データをフレーム単位で第１のメモリに一時記憶させたのち、前記第１のメモリから読み出したフレーム毎の静止画像データを映像出力部を介し前記モニタ画面に表示させるとともに、前記圧縮静止画像データ出力手段からの前記圧縮静止画像データをフレーム単位でそのまま第２のメモリに一時記憶させ、一方、切換キーの操作により前記静止画像データ入力モードが設定されている状態において前記選択キーが操作されたときに限り、前記第２のメモリから前記圧縮静止画像データを読み出すとともに、その圧縮静止画像データを前記書込用記録媒体に書き込ませるよう前記書込部を制御する制御機能を有していることを特徴としている。
【００１８】
このようにすれば、操作部の切換キーを操作することにより、制御部により伸長部への圧縮カラー静止画像データの入力が可能な状態に切り換えられるため、ユーザが必要なときに操作部の切換キーを操作するだけで、フレーム毎のカラー静止画像をモニタ画面に再生表示するとともに、モニタ画面に再生表示されるカラー静止画像のうちの記録したい所望のものだけを選択キーの操作により選択して、その選択したカラー静止画像データを圧縮カラー静止画像データのままで書込用記録媒体に書き込むことができるから、いわゆるカラー静止画像データの編集が可能となる。
【００１９】
【発明の実施の形態】
（第１の実施形態）この発明をデジタル映像再生装置であるＤＶＤプレーヤに適用した場合の第１の実施形態について図１を参照して説明する。
【００２０】
図１において、１１は図示しない駆動系により回転駆動されるＤＶＤ、１２は光ピックアップから成る読出部、１３は読出部２により読み出された圧縮映像音声データから圧縮映像データパケットと圧縮音声データパケットを分離する分離化部、１４は伸長部であり、分離化部１３により分離された圧縮映像データパケット及び圧縮音声データパケットをそれぞれ復号して元の映像音声信号に伸長する。ここで、読出部１２、分離化部１３及びこの伸長部１４は、一般のデコーダＩＣにより構成されている。
【００２１】
また、図１において、１５は伸長部により伸長された映像データを例えばテレビ等のモニタ画面Ｍに表示させるべくＮＴＳＣ或いはＰＡＬ方式のカラーテレビジョン信号に変換して出力する映像出力部、１６は伸長部１４により伸長された音声データをスピーカＳから出力させる音声出力部、１７は伸長部１４により伸長されたデータの一時記憶用のＲＡＭ等から成るメモリ、１８は制御部であり、操作部であるリモコン１９のキー操作に応じて、ＤＶＤ１１の駆動系を始め、読出部１２、分離化部１３、伸長部１４の動作制御を行う。
尚、２２は制御プログラム等を格納したＲＯＭおよびデータ一時記憶用のＲＡＭ等のメモリであり、これら読出部１２、分離化部１３、伸長部１４、映像出力部１５、音声出力部１６、メモリ１７、制御部１８、メモリ２２および後述するインターフェイス部２１によりＤＶＤプレーヤが構成されている。
【００２２】
更に図１において、２０は静止画像の国際標準規格であるＪＰＥＧに準拠した圧縮カラー静止画像データを出力する圧縮静止画像データ出力手段であるデジタルカメラ、２１はインタフェイス部であり、例えばＩＥＥＥ１３９４やＵＳＢ（Universal Serial Bus）等のデジタルデータを扱うことが可能な高速対応のインターフィイスから成り、デジタルカメラ２０と伸長部１４との間に設けられ、コネクタＣによってデジタルカメラ２０がインターフェイス部２１に接続されるようになっており、制御部１８の制御により、デジタルカメラ２０からのＪＰＥＧ規格に準拠した圧縮カラー静止画像データがこのインターフェイス部２１を介して伸長部１４に入力される。なお、伸長部１４には、制御部１８の制御のもとＪＰＥＧに準拠した圧縮カラー静止画像データをデコードする機能が兼備されている。このデコード処理には、周知の処理プログラムを適用することで実現できる。
【００２３】
このとき、リモコン１９にはＪＰＥＧ規格による圧縮カラー静止画像データの入力モードに切り換えための切換キー１９ａが設けられ、ユーザがこの切換キー１９ａを操作することにより、装置各部は圧縮カラー静止画像データの入力モードに切り換わるようになっている。
【００２４】
そして、上記したように切換キー１９ａの操作によって圧縮カラー静止画像データの入力モードに切り換えると、制御部１８の制御により、インターフェイス部２１を介して伸長部１４にデジタルカメラ２０からの圧縮カラー静止画像データが入力され、伸長部１４により圧縮カラー静止画像データが復号されて元のカラー静止画像データに伸長され、この伸長されたカラー静止画像データが例えばフレーム単位で一旦メモリ１７に保持され、メモリ１７から映像出力部１５にフレーム毎にカラー静止画像データが出力されてモニタ画面Ｍ上に表示される。
【００２５】
このように、デジタルカメラ２０により撮像された静止画像を再生表示する場合に、リモコン１９の切換キー１９ａを操作して圧縮カラー静止画像データの入力モードに設定することにより、インターフェイス部２１を介してデジタルカメラ２０からのＪＰＥＧ規格によるり圧縮カラー静止画像データが伸長部１４に入力されて伸長されるようになり、復号された元のカラー静止画像データによる画像が映像出力部１５に出力されてモニタ画面Ｍ上に表示される。
【００２６】
したがって、上記した第１の実施形態によれば、インターフェイス部２１を介してデジタルカメラ２０からの圧縮カラー静止画像データを伸長部１４に取り込み、伸長部１４により圧縮カラー静止画像データを伸長したカラー静止画像をテレビ等のモニタ画面Ｍ上に表示するようにしたため、ＭＰＥＧ２規格の圧縮映像音声データを復号再生する単一のＤＶＤプレーヤにより、ＪＰＥＧ規格による圧縮カラー静止画像データを伸長して表示することが可能となり、多機能でマルチメディア対応が可能なＤＶＤプレーヤを提供することができる。
【００２７】
また、リモコン１９の切換キー１９ａの操作により圧縮カラー静止画像データタの入力モードに設定して、伸長部１４に圧縮カラー静止画像データを入力可能な状態に切り換えるため、ユーザが必要なときにリモコン１９の切換キー１９ａを操作するだけで、カラー静止画像を再生表示することが可能となる。
【００２８】
なお、上記した第１の実施形態では、本発明をデジタル映像再生装置であるＤＶＤプレーヤに適用した場合について説明したが、特にＤＶＤプレーヤに限定されるものではなく、ＢＳやＣＳ等のデジタル放送の受信装置やその他のＭＰＥＧ２に準拠した動画を再生する装置にも本発明を適用できるのは勿論であり、いずれの場合も上記した第１の実施形態と同等の効果を得ることができる。
【００２９】
また、上記した第１の実施形態では、操作部であるリモコン１９の切換キー１９ａの操作によって圧縮カラー静止画像データの入力モードに切り換える場合について説明したが、このような外部操作によって切り換えるだけでなく、例えば制御部１８などにより、デジタルカメラ２０等のＪＰＥＧに準拠した圧縮カラー静止画像データを出力する圧縮静止画像データ出力手段がインターフェイス部２１に接続されたことを検知したときに、圧縮カラー静止画像データの入力モードに自動的に切り換えるようにしてもよい。
【００３０】
（第２の実施形態）この発明の第２の実施形態について図２を参照して説明する。但し、図２において図１と同一符号は同一若しくは相当するものを示し、以下においては、主として図１と相違する点について説明する。
【００３１】
図２はデジタル映像記録再生装置であるＤＶＤ録再機を示し、図２の構成において、図１に示す装置のように、ＪＰＥＧに準拠した圧縮カラー静止画像データを再生表示するだけでなく、書き込み可能なＤＶＤ−ＲＡＭ１１ａを始め、磁気テープや半導体メモリ等の書込用記録媒体２６に、ＪＰＥＧ規格の圧縮カラー静止画像データを書き込む機能を有する点が図１と大きく相違している。
【００３２】
即ち、図１におけるＤＶＤ１１を書き込み可能なＤＶＤ−ＲＡＭ１１ａとして説明すると、リモコン１９の切換キー１９ａの操作により圧縮カラー静止画像データの入力モードに設定されると、圧縮静止画像データ出力手段であるデジタルカメラ２０からの圧縮カラー静止画像データがインタフェイス部２１を介して伸長部１４に入力され、伸長部１４により圧縮カラー静止画像データが復号されて元のカラー静止画像データに伸長され、この伸長されたカラー静止画像データが、例えばフレーム単位で一旦メモリ１７に保持される。このメモリ１７に保持されたカラー静止画像データは、制御部１８の制御を受けて、メモリ１７からフレーム毎に読み出されたのち、映像出力部１５から出力されてモニタ画面Ｍ上に表示される。
【００３３】
一方、上述のデジタルカメラ２０からインタフェイス部２１を介して伸長部１４に入力された圧縮カラー静止画像データは、伸長部１４をスルーして、ＪＰＥＧ規格に準拠した形式のまま、つまり圧縮されたままの状態でメモリ２２に保持される。このメモリ２２に記憶された圧縮カラー静止画像データは、制御部１８により読み出されて書込部２７に出力され、この書込部２７により、書込用の記録媒体であるＤＶＤ−ＲＡＭ１１ａに直接書き込まれるか、或いはインターフェイス２５を介して磁気テープ、ハードディスク、半導体メモリ等の書込用の記録媒体２６に書き込まれるようになっている。
【００３４】
尚、書込用の記録媒体２６はＤＶＤ録再機に対して外付けまたは内蔵の何れであってもよい。また、ＪＰＥＧデータをＤＶＤ−ＲＡＭ１１ａまたはその他の記録媒体２６の何れに書き込むかは、リモコン１９の操作等によりユーザが選択できるようになっている。
【００３５】
したがって、上記した第２の実施形態によれば、ＭＰＥＧ２規格の圧縮映像音声データを復号再生する単一のデジタル映像記録再生装置であるＤＶＤ録再機により、ＪＰＥＧ規格による圧縮カラー静止画像データを伸長して再生表示すると同時に、ＤＶＤ−ＲＡＭ１１ａやその他の書込用の記録媒体２６に書き込むことが可能になり、多機能なデジタル映像記録再生装置を提供することができる。
【００３６】
なお、上記した第２の実施形態において、操作部であるリモコン１９に上記した切換キー１９ａの他に選択キー１９ｂを設け、切換キー１９ａが操作された状態において、この選択キー１９ｂが操作されたときだけメモリ２２に保持している圧縮カラー静止画像データを書込部２７に出力するようにしてもよい。こうすると、モニタ画面で再生表示されるカラー静止画像のうち記録したいものだけをＤＶＤ−ＲＡＭ１１ａやその他の記録媒体２６に選択的に記録することができ、いわゆるカラー静止画像データの編集が可能となる。
【００３７】
また、上記した第２の実施形態においても、制御部１８等により、デジタルカメラ２０等のＪＰＥＧに準拠した圧縮カラー静止画像データを出力する圧縮静止画像データ出力手段がインタースェイス部２１に接続されたことを検知したときに、圧縮カラー静止画像データの入力モードに自動的に切り換えるようにしてもよいのは勿論である。
【００３８】
更に、上記した第２の実施形態におけるＤＶＤ録再機と同等のその他のデジタル映像記録再生装置として、ＢＳやＣＳ等のデジタル放送を受信すると共にＤＶＤ−ＲＡＭ１１ａを始めとする書込用の記録媒体に受信したデータを記録する機能を備えていてもよく、要するに、ＭＰＥＧ２に準拠した動画を再生し、且つ記録する装置であれば、本発明を適用することが可能であり、何れの場合にも上記した第２の実施形態と同等の効果を得ることができる。
【００３９】
また、本発明は上記した各実施形態に限定されるものでなく、その趣旨を逸脱しない限りにおいて上述したもの以外に種々の変更を行うことが可能である。
【００４０】
【発明の効果】
以上のように、請求項１に記載の発明によれば、静止画像データ入力モードを設定することにより、デジタルカメラなどの圧縮静止画像データ出力手段からの圧縮カラー静止画像データがインターフェイス部を介して伸長部に入力され、伸長部により圧縮カラー静止画像データが復号されて元の静止画像データに伸長されたのち、この静止画像データが映像出力部によりモニタ画面上に表示されるため、ＭＰＥＧ２規格の圧縮映像音声データを復号再生する単一のデジタル映像再生装置により、ＪＰＥＧ規格による圧縮カラー静止画像データを伸長して表示することが可能となり、多機能でマルチメディア対応が可能なものとなる。
【００４１】
また、請求項２に記載の発明によれば、操作部の切換キーを操作することにより、制御部により伸長部への圧縮カラー静止画像データの入力が可能な状態に切り換えられるため、ユーザが必要なときに操作部の切換キーを操作するだけで、フレーム毎のカラー静止画像をモニタ画面に再生表示することができる。
【００４２】
また、請求項３に記載の発明によれば、静止画像データ入力モードを設定することにより、デジタルカメラなどの圧縮静止画像データ出力手段からの圧縮カラー静止画像データがインターフェイス部を介して伸長部に入力され、伸長部により圧縮カラー静止画像データが復号されて元の静止画像データに伸長されたのち、この静止画像データが映像出力部によりモニタ画面上に表示されるとともに、インターフェイス部を介して入力された圧縮カラー静止画像データがそのままＤＶＤ−ＲＡＭや磁気テープ、ハードディスク、半導体メモリなどの書込用の記録媒体に書込部により書き込まれるため、ＭＰＥＧ２規格の圧縮映像音声データを復号再生する単一のデジタル映像記録再生装置により、ＪＰＥＧ規格による圧縮カラー静止画像データを伸長して表示すると同時に、書込用記録媒体に書き込むことが可能となり、一層多機能でマルチメディア対応が可能なものとなる。
【００４３】
また、請求項４に記載の発明によれば、操作部の切換キーを操作することにより、制御部により伸長部への圧縮カラー静止画像データの入力が可能な状態に切り換えられるため、ユーザが必要なときに操作部の切換キーを操作するだけで、フレーム毎のカラー静止画像をモニタ画面に再生表示すると同時に、モニタ画面に再生表示されるカラー静止画像のうちの記録したい所望のものだけを選択キーの操作により選択して、その選択したカラー静止画像データを圧縮カラー静止画像データのままで書込用記録媒体に書き込むことができるから、いわゆるカラー静止画像データの編集が可能となる。
【図面の簡単な説明】
【図１】この発明の第１の実施形態のブロック図である。
【図２】この発明の第２の実施形態のブロック図である。
【図３】従来例のブロック図である。
【符号の説明】
１１  ＤＶＤ（記録媒体）
１１ａ  ＤＶＤ−ＲＡＭ（記録媒体）
１２  読出部
１３  分離化部
１４  伸長部
１５  映像出力部
１６  音声出力部
１７  メモリ（第１のメモリ）
１８  制御部
１９  リモコン（操作部）
１９ａ  切換キー
１９ｂ  選択キー
２０  デジタルカメラ（圧縮静止画像データ出力手段）
２１  インターフェイス部
２２  メモリ（第２のメモリ）
２６  書込用記録媒体
２７  書込部
Ｍ  モニタ画面
Ｓ  スピーカ
【図１】
0003624935.tif 000002
【図２】
0003624935.tif 000003
【図３】
0003624935.tif 000004